(57)【特許請求の範囲】
【請求項１】
戸口の戸当り面に当接して前記戸口を塞ぐ閉位置と、前記戸口を開放する開位置との間を往復動可能な引戸を備えた引戸ユニットであって、
前記戸当り面に当接する前記引戸の当接面が前記閉位置側にわずかに向くように、前記引戸の上端面の左右両端付近に取り付けられた吊車と、前記引戸の下端面の左右両端付近に取り付けられたガイドシャフトとが前記引戸の左右で前記引戸の厚み方向の取付位置が異なるように取り付けられ、前記引戸の当接面が前記引戸の動線に対して所定の角度傾けて設けられているとともに、前記戸当り面も前記所定の角度とほぼ同様に傾けて設けられていることを特徴とする引戸ユニット。
【請求項２】
前記引戸が平板状であることを特徴とする請求項１記載の引戸ユニット。
【請求項３】
前記引戸の動線が直線状であることを特徴とする請求項１または２記載の引戸ユニット。
【請求項４】
前記所定の角度が０．５°〜４°であることを特徴とする請求項１〜３のいずれか記載の引戸ユニット。
【請求項５】
前記引戸の当接面の左右で、７ｍｍ〜６０ｍｍの位置の差が、前記動線の直角方向に生じていることを特徴とする請求項１〜４のいずれか記載の引戸ユニット。
【請求項６】
前記引戸が１本のレールによりガイドされて前記閉位置と前記開位置との間を往復動可能とされるとともに、前記レールに対して前記引戸の左右で、前記引戸の厚み方向の取付位置が異なることにより、前記所定の角度が実現されていることを特徴とする請求項１〜５のいずれか記載の引戸ユニット。
【請求項７】
平行にずらした２本のレールにより、前記引戸の左右がそれぞれガイドされて前記閉位置と前記開位置との間を往復動可能とされることにより、前記所定の角度が実現されていることを特徴とする請求項１〜５のいずれか記載の引戸ユニット。
【請求項８】
前記戸当り面または前記当接面の一方に設けられ、前記引戸が前記閉位置にある場合に、前記戸当り面または前記当接面の他方へ磁着する磁着パッキンを備えたことを特徴とする請求項１〜７のいずれか記載の引戸ユニット。
【請求項９】
前記磁着パッキンの磁着面が、磁着していない状態では、磁着時の状態よりも前記他方側へ傾けられていることを特徴とする請求項８記載の引戸ユニット。
【請求項１０】
前記磁着パッキンに磁着される側の前記戸当り面または前記当接面が、前記磁着パッキンに磁着されていない状態では、前記磁着パッキンの磁着面の角度よりも前記磁着パッキン側へ傾けられていることを特徴とする請求項８または９記載の引戸ユニット。
【請求項１１】
防音を目的とすることを特徴とする請求項１〜１０のいずれか記載の引戸ユニット。
【発明の詳細な説明】
【０００１】
【発明の属する技術分野】
本発明は、住宅等の部屋や建物に利用される引戸ユニットであって、戸口の戸当り面に当接して戸口を塞ぐ閉位置と、戸口を開放する開位置との間を往復動可能な引戸を備えた引戸ユニットに関する。
【０００２】
【従来の技術】
住宅等の部屋や建物を、楽器を演奏する場所、あるいはカラオケ等で歌う場所として使用する場合は、他の部屋や他の建物に対して騒音とならないようにするために、部屋や建物を構成する壁には防音壁を使用して、音声が外部に漏れないようにしていた。
【０００３】
更に、その部屋や建物の出入口も、音声が漏れないようにするために、ドアの周りあるいは壁部の戸口の周りに、パッキンを設けて、ドアと壁部とを密着させる必要があった。
しかし、ドアは、本来、開閉させるためのデッドスペースが必要であり、スペース効率が極めて低い。特に、住宅事情の悪い地域では、このことは大きな問題となる。
【０００４】
【発明が解決しようとする課題】
開閉に無駄なスペースが生じないものとして、引戸が知られている。この引戸は戸口および壁部に平行に移動させるため、ドアのような移動のためだけのデッドスペースがなく、スペース効率が高い。
【０００５】
しかし、この引戸を防音引戸として利用しようとした場合、次のような問題が生じた。
すなわち、▲１▼引戸の移動には、壁部に向かって移動する成分がなく、開口部分の壁部に密着させる力を加えることができない。▲２▼防音を完全にするために必要なパッキンを開口の周りに設けると、引戸を壁部に平行に移動させる場合に、引戸はパッキンの表面を横に摩擦するように移動する。したがってパッキンと引戸との摩擦が非常に大きくなることから、極めて開閉動作が困難となり、実用的ではない。
【０００６】
自動車などでは、引戸にパッキンを使用したものが存在する。この自動車の引戸は、閉位置直前で、引戸の移動方向が戸口に対して近づく方向に変わるように構成されている。このため、戸口に対して、引戸は閉直前には上方から接触し、開時の最初には上方に離れるような動きをする。したがって、戸口あるいは引戸のパッキンの表面に対して、引戸やボディが横に摩擦するようなことはなく、開閉はそれほど困難ではない。
【０００７】
しかし、自動車の引戸は、その引戸を閉じる場合に、パッキンと引戸あるいはパッキンとボディとを密着させるため、極めて強くボディに対して引戸を衝突させる必要があった。自動車の通常のドアの場合は、最初からパッキンに衝突する方向にドアが移動するのでドアの慣性力がほぼすべてパッキンの圧縮に用いられるが、自動車の引戸は、閉まる直前まで、パッキンとは平行に移動しているので、その移動時の慣性力のかなりの部分がパッキンを圧縮するための成分とはならない。したがって、ドアと同じようにパッキンを圧縮するためには勢い良く、しかも閉状態の直前まで勢い良く閉める動作を継続しなくてはならなかった。
【０００８】
このため、引戸が移動する際の音、更に、ボディ側との衝突音により、かなり大きな騒音が生じる。この騒音は、自動車内部にいる者にとっては不愉快であり、環境上も問題となることもあるが、通常自動車が使用されている場所が騒音に対しては比較的問題となりにくい場所であるため、大きな問題とはなっていない。
【０００９】
ところが、この自動車と同一の引戸を住宅等の防音壁として利用した場合に、パッキンに密着させようとして引戸を閉める度に大きな騒音が発生してしまい、自動車の場合と異なり特に騒音が問題となり易い環境であるだけに、他の部屋や近隣に住む人々に不愉快な思いをさせる恐れがあった。特に、住宅等の引戸は自動車と比較して、かなり大きいのが普通であり、また防音性を高めるため重量もあることから、その騒音も相当なものとなる。
【００１０】
したがって、実際にはスペース効率が低くても、引戸よりも騒音を出さずにパッキンを強く圧縮できる防音ドアを採用している。
上述の問題点は、引戸を防音を目的として使用する場合以外に、気密性を目的として使用する場合も、断熱性を目的として使用する場合も同じである。
【００１１】
本発明は、上記問題を解決するために、騒音を発生させるような操作をしなくても、パッキンに対して確実に密着でき、高い防音性、気密性あるいは断熱性を達成でき、スペース効率も高い引戸ユニットを提供するものである。
【００１２】
【課題を解決するための手段及び発明の効果】
本発明の引戸ユニットは、戸口の戸当り面に当接して前記戸口を塞ぐ閉位置と、前記戸口を開放する開位置との間を往復動可能な引戸を備えた引戸ユニットであって、
前記戸当り面に当接する前記引戸の当接面が前記閉位置側にわずかに向くように、前記引戸の上端面の左右両端付近に取り付けられた吊車と、前記引戸の下端面の左右両端付近に取り付けられたガイドシャフトとが前記引戸の左右で前記引戸の厚み方向の取付位置が異なるように取り付けられ、前記引戸の当接面が前記引戸の動線に対して所定の角度傾けて設けられているとともに、前記戸当り面も前記所定の角度とほぼ同様に傾けて設けられていることを特徴とする。
【００１３】
このように傾けられていることにより、引戸を閉じようとして引戸を戸口に近付けると、引戸の当接面は、わずかに戸当り面から離れた状態から、引戸が閉位置に近付くに連れて戸当り面へ斜めに近付いて密着する。引戸を開く場合には、その逆に、引戸の当接面は、戸当り面に密着した状態から斜めに離れるようにして移動する。
【００１４】
このため、開閉時に引戸と戸口とが密着した状態で真横に移動させる動きがなくなり、引戸の移動時には引戸はわずかに戸口と離れた状態に有り、大きな力を必要とせずに円滑に開閉することができる。
また、引戸の当接面が引戸の動線に対して所定の角度傾けられているといっても、大きな傾きは必要なく、例えば０．５°〜４°あるいは引戸の当接面の左右で７ｍｍ〜６０ｍｍの位置の差であり、スペース効率は、通常の引戸とほとんど変わりない。なお、所定の角度とほぼ同様に傾けられている状態とは、所定の角度と同じ傾きでも良く、実際の密着に影響しない程度にわずかに角度が異なっていても良いことを意味する。
【００１５】
更に、閉める場合の引戸の移動には、壁部に向かって移動する成分が生じているので、開口部分の壁部に密着させる力を加えることができ、騒音を発生させるような操作をしなくても、パッキンに対して確実に密着でき、高い防音性、気密性あるいは断熱性を達成できる。
【００１６】
特に、引戸が長方形に形成されている場合には、引戸の少なくとも上下の当接面が閉位置側にわずかに向くように、引戸の動線に対して所定の角度傾けて設けられるとともに、戸口の戸当り面も前記所定の角度とほぼ同様に傾けられているように構成しても良い。ここで、戸口の左右の戸当り面と引戸の左右の当接面とは傾けていなくても良いし、前記所定の角度よりも小さくあるいは大きく傾けても良い。戸口の左右の戸当り面と引戸の左右の当接面との接触は、引戸を閉める場合の最後および開ける場合の最初の瞬間だけであり、引戸の移動を阻止する摩擦力は、極めて短い期間にすぎないからである。
【００１７】
なお、前記引戸は平板状であっても良く、製造コストが低コストとなる。また、前記引戸の動線は直線状であっても良く、この場合は、引戸のガイドが直線状で良いので、製造コストが低コストとなる。
上述のごとく、引戸の動線に対する所定の角度を実現するには、例えば、引戸が１本のレールによりガイドされて閉位置と開位置との間を往復動可能とされている構成の場合に、レールに対して引戸の左右で、引戸の厚み方向の取付位置を異ならせることにより、前記所定の角度が実現されていても良い。
【００１８】
また、平行にずらした２本のレールにより引戸の左右がそれぞれガイドされる構成とすれば、２つのレールの位置がずれているので、このことによっても前記所定の角度が実現される。
この他に、引戸の動線に対する所定の角度を実現するには、単に、戸当り面および引戸の当接面のみを、引戸の動線に対して前記所定の角度になるように、戸口および引戸を形成しても良い。このようにすれば、引戸全体を傾ける必要が無く、引戸の外見は通常の引戸のごとくに見え、外観的な違和感が生じない。
【００１９】
例えば、引戸の当接面の内、少なくとも、開位置側の当接面および上下の当接面が、引戸の表面から突出している突条の先端面として形成されていることにより、前記所定の角度が実現されているように構成しても良い。または、引戸の当接面の内、少なくとも、上下の当接面が、引戸の上下端面に、戸口側を低くされ、開位置側から閉位置側にかけて次第に引戸の戸口側とは反対側の面に近づく段差面として形成されていることにより、前記所定の角度が実現されていても良い。この場合、引戸の閉位置側にて上下の前記当接面を連絡する当接面が、引戸の閉位置側の端面に段差面として形成されていても良い。
【００２０】
この他、引戸の戸口側の面が、開位置側から閉位置側にかけて次第に戸口とは反対側の面から離れる状態に形成されていることにより、前記所定の角度が実現されていても良い。
上述した各引戸ユニットにおいて、戸当り面または当接面の一方に設けられ、引戸が閉位置にある場合に、戸当り面または当接面の他方へ磁着する磁着パッキンを備えても良い。この磁着パッキンを用いると、一層確実に戸当り面と当接面とが密着し、一層高い防音性、気密性あるいは断熱性を達成できる。
【００２１】
この場合、磁着パッキンの磁着面が、磁着していない状態では、磁着時の状態よりも前記他方側へ傾けられていることとすれば、引戸が完全に閉位置に来ない内に、磁着パッキンの磁着面が相手方に磁着したり、あるいは磁着パッキンの角が相手方に引っ掛かったりして、密着しなかったり完全に閉らなくなったりすることを防止できる。
【００２２】
また、磁着パッキンに磁着される側の戸当り面または当接面が、磁着パッキンに磁着されていない状態では、磁着パッキンの磁着面の角度よりも磁着パッキン側へ傾けられているように構成しても良い。同様に、引戸が完全に閉位置に来ない内に、磁着パッキンの磁着面が相手方に磁着したり、あるいは磁着パッキンの角が相手方に引っ掛かったりして、密着しなかったり完全に閉らなくなったりすることを防止できる。
【００２３】
なお、上述した各引戸ユニットは、防音を目的とする用途であれば、更に十分に防音機能を果たすことができる。
【００２４】
【発明の実施の形態】
［実施の形態１］
図１は、実施の形態１の防音引戸ユニット２の室内壁部に取付けた状態を室内側から見た正面図、図２はその背面図、図３は図１におけるＡ−Ａ断面の要部拡大図（ただし、引戸３８を閉じた状態）、図４は図１におけるＢ−Ｂ断面の要部拡大図である。
【００２５】
防音引戸ユニット２は、室内の壁部Ｗに設けられた戸口Ｅと、その戸口Ｅに隣接する壁部Ｗにわたって設けられ、上枠４、下枠６、左右の縦枠８，１０および中央の方立１２を備えている。戸口Ｅの内周は、上枠４および下枠６の一部と、縦枠１０および方立１２とにより覆われている。なお、上枠４は、Ｌ型金具１５により、上方の壁部Ｗにビス止めされている。壁部Ｗはスペーサを介して内装化粧板にて覆われているが、Ｌ型金具１５は内装化粧板の下の壁部Ｗの本体に取り付けられている。したがって、外観上、Ｌ型金具１５は、ほとんど見えない。
【００２６】
また、上枠４の下面側に設けられた溝４ａには、吊レール１６が嵌合されてビス止めされ、更に上枠４の下面側には、吊レール１６を挟んで、室内側には内側吊レールカバー１８、室外側には戸当横部材２６が設けられている。
下枠６には、防音室の内側と外側との床Ｆの段差分の厚さの敷板２２が設けられ、下枠６の上面側には、溝部２４が形成されている。この溝部２４の内部には、略Ｕ字状の床レール２５がはめ込まれ、ビスにて固定されている。下枠６の上面側には、床レール２５の室外側に戸当横部材２８が設けられている。
【００２７】
また、縦枠１０の表面に戸当縦部材３２が固定されている。このことにより、戸口Ｅの全体が、戸当横部材２６，２８、方立１２および戸当縦部材３２にて、囲まれている状態となっている。更に、戸当横部材２６，２８、方立１２および戸当縦部材３２の室内側の側面２６ａ，２８ａ，１２ａ，３２ａには、連続する溝部２６ｂ，２８ｂ，１２ｂ，３２ｂが設けられ、その溝部２６ｂ，２８ｂ，１２ｂ，３２ｂ内に、ゴム製のパッキン３４が全周にわたって取り付けられている。
【００２８】
戸当横部材２８は、図４に示すごとく、室内側の側面２８ａが方立１２から戸当縦部材３２にかけて次第に幅が広くなるように傾斜して形成されている。もう一つの戸当横部材２６についても同じである。したがって、戸当横部材２６，２８、方立１２および戸当縦部材３２の室内側の側面２６ａ，２８ａ，１２ａ，３２ａ（以下、「戸当り面」と称する。）は、長方形の引戸３８が進行して来る方向にわずかに傾いている。なお、方立１２および戸当縦部材３２の室内側の側面１２ａ，３２ａは、共に幅が狭いので特に傾斜させなくてもパッキン３４が存在するので後述する当接面３８ｃとの密着度は問題はない。
【００２９】
引戸３８の上端面３８ａの左右両端付近には、それぞれ吊車４０，４１が取り付けられている。図３に示すごとく吊車４０，４１は、吊レール１６内に配置され、吊レール１６の割溝１６ａを挿通する回転軸４０ａにて回転可能に引戸３８に取り付けられている。吊車４０，４１はそれぞれ２対の車輪４０ｂ，４０ｃを備えているので、吊レール１６内を滑らかに移動することが可能である。この結果、引戸３８の上部は、移動時に吊レール１６の内面でガイドされる。
【００３０】
また、引戸３８の下端面３８ｂの左右両端付近には、それぞれガイドシャフト４２，４３が設けられ、床レール２５に挿入されている。このことにより、引戸３８の下部は、移動時に床レール２５にガイドされる。したがって、吊レール１６と床レール２５とによるガイドにより、引戸３８の動線は、図４に一点鎖線で示すごとくとなる。
【００３１】
これら吊車４０，４１とガイドシャフト４２，４３とは、引戸３８の左右で引戸３８の厚み方向の取り付け位置が異なる。引戸３８を閉じる場合の進行方向先頭に当たる戸先ＤＨ側では、吊車４０およびガイドシャフト４２は共に室外側に偏在して取り付けられ、引戸３８を閉じる場合の進行方向末尾に当たる戸尻ＤＴ側では、吊車４１およびガイドシャフト４３は共に室内側に偏在して取り付けられている。
【００３２】
このため、厚さが一定の引戸３８は、室外側の面である当接面３８ｃが、上方から見て時計回りにわずかに回転し、引戸３８の動線Ｍに対して所定の角度に傾いた状態となっている。すなわち、当接面３８ｃは閉位置側、すなわち戸口Ｅにわずかに向くようにわずかに回転された状態となっている。この角度は、前述した戸当り面２６ａ，２８ａ，１２ａ，３２ａが全体として引戸３８の進行して来る方向にわずかに傾いている角度と同じである。例えばこの角度としては、好ましくは０．５°〜４°に設定することが好ましく、この中でも特に１°〜２°に設定することが好ましい。
【００３３】
この様に構成された防音引戸ユニット２の引戸３８を閉じる場合、引戸３８の当接面３８ｃが、わずかに進行方向、すなわち戸口Ｅに向くように傾いているため、閉じる前は図４の実線に示すごとく、戸先ＤＨの当接面３８ｃと戸当り面２６ａ，２８ａ，１２ａ，３２ａのパッキン３４との間は距離Ｓ分離れているが、破線で示すごとく完全に閉じた状態では、完全に引戸３８とパッキン３４とは接触している。すなわち、引戸３８の閉じ方向の進行に応じて、次第に引戸３８の当接面３８ｃは戸当り面２６ａ，２８ａ，１２ａ，３２ａに上方から近づき、パッキン３４に上から衝突するようにして接触する。
【００３４】
このため、引戸３８を閉じる際には、戸口Ｅ側に向かって移動する成分が生じ、戸口Ｅに密着させる力を引戸３８に加えることができ、しっかりと引戸３８を戸当り面２６ａ，２８ａ，１２ａ，３２ａのパッキン３４に密着させて閉じることができ、室内を完全に密閉でき音のもれを防止できる。勿論、同時に高い気密性あるいは断熱性を達成できる。
【００３５】
また、引戸３８を閉じる際に、引戸３８の当接面３８ｃがパッキン３４に接触するのは最後であり、当接面３８ｃがパッキン３４に接触した状態で摺動しながら移動することはなく、当接面３８ｃとパッキン３４との間の大きな摩擦力が閉操作に支障を来すことはない。このことは、引戸３８を開く際にも、最初に当接面３８ｃがパッキン３４から離脱するので、その後の引戸３８の移動に支障を来すことはない。
【００３６】
また、引戸３８自体の動線Ｍに対する傾きは、わずかなものであるので、引戸３８の開閉時の移動に際して大きな移動スペースを必要とせず、通常の引戸に比較してスペース効率もほとんど低下しない。また機構も簡単であるので製造コストも安価である。
【００３７】
本実施の形態１では、閉操作の最後にパッキン３４により摩擦力が発生して、戸当り面２６ａ，２８ａ，１２ａ，３２ａへの引戸３８の密着状態が維持される。このため、特に引戸３８の閉じた状態を維持するための係合装置は設けなかったが、引戸３８に鉤を設け、縦枠１０に環部を設けて、鉤と環部とを係合させて閉位置の引戸３８を固定しても良い。また、引戸３８の戸先ＤＨ側の先端部に磁石を取り付け、縦枠１０に取り付けた鉄板に磁着させることにより、引戸３８の閉状態を維持させても良い。逆に、引戸３８側に鉄板、縦枠１０側に磁石を取り付けても良い。
【００３８】
また、パッキン３４自体を磁着パッキンとし、引戸３８の当接面３８ｃに鉄板を取り付けることにより、引戸３８の閉状態を維持させても良い。パッキン３４に鉄板、引戸３８の当接面３８ｃに磁石を取り付けても良い。また、戸当り面２６ａ，２８ａ，１２ａ，３２ａに鉄板、引戸３８の当接面３８ｃに磁着パッキンを取り付けても良い。
【００３９】
［実施の形態２］
図５は、前記実施の形態１の図４に対応する実施の形態２の防音引戸ユニット５２の部分説明図である。図６はその全体説明図である。なお、パッキンは実施の形態１と同様に存在するが図示は省略してある。
【００４０】
実施の形態１との基本的な違いは、実施の形態１では吊レール１６が１本であったものが、実施の形態２では２本の吊りレール６６，６７に分割して平行にずらして配置している点である。２つの戸当横部材７８、方立６２および戸当縦部材８２の室内側面である戸当り面７８ａ，６２ａ，８２ａに対面している吊りレール６６は、戸当り面７８ａ，６２ａ，８２ａに対面していないもう一つの吊りレール６７とは長さは同じであるが、図５において右側に、すなわち、戸当り面７８ａ，６２ａ，８２ａから離れるように、室内側にずらされている。
【００４１】
そして、吊レール６６には、戸先ＤＨ側の吊車９０が配置され、吊レール６７には、戸尻ＤＴ側の吊車９１が配置されている。これら吊車９０，９１は引戸８８の中心線上に設けられている。
下枠５６に埋め込まれた床レール７５，７６についても、一点鎖線で示される吊レール６６，６７と同様に２本に分割されて平行にずらして配置され、床レール７５にはガイドシャフト９２が配置され、床レール７６にはガイドシャフト９３が配置され、２つのガイドシャフト９２，９３もそれぞれ引戸８８の中心線上に設けられている。
【００４２】
本実施の形態２は、このように吊りレール６６，６７と床レール７５，７６とをそれぞれ２本に分割し、平行にずらして配置しているので、吊車９０，９１とガイドシャフト９２，９３とを通常通り引戸８８の中心線上に設けても、実施の形態１と同様に引戸８８をわずかに時計回りに回転させた状態、すなわち、引戸８８の当接面８８ｃを閉位置に向けた状態で移動させることができる。したがって、実施の形態１と同様な効果を達成することができる。
【００４３】
［実施の形態３］
図７，８に実施の形態３の防音引戸ユニット１０２の要部を示す。本実施の形態３は、図１１に示すごとく、引戸５００が戸当り面５０２に対して非常に近接して移動することから、パッキン、特に磁着パッキン５０４において、引戸５００に取り付けられた鉄板５０６の角部５０６ａや、引戸５００の角部５００ａに引っ掛かって防音性・密閉性に問題を生じたり、引戸５００が閉らなくなる等の不都合が生じることを防止するためである。
【００４４】
実施の形態３は、戸当縦部材１３２，１３３に磁着パッキン１３４を取り付けているが、磁着パッキン１３４の磁着面１３４ｂが、磁着していない状態では、図８に示す磁着時よりも引戸１３８側へ傾けて設けられている。すなわち、磁着面１３４ｂは、当接面１３８ｃに平行な状態よりも、戸口Ｅを閉じる場合に進行して来る引戸１３８側へ傾けられている。このことにより、特に磁着パッキン１３４の引戸１３８が進行して来る側の角部１３４ａが、引戸１３８が移動して来た当初に引戸１３８の当接面１３８ｃから離れた配置とすることができる。したがって、防音引戸ユニット１０２の製造上の誤差や、設置後の引戸１３８の反り等の変形が生じても、図１１に示したごとくの不都合が防止され、図８に示すごとく、磁着パッキン１３４は正常に鉄板１３５に磁着して、十分に密着する。
【００４５】
更に、戸当縦部材１３２，１３３は、その軸方向に沿って形成された突条１３２ａ，１３３ａが縦枠１１０および方立１１２の軸方向に沿った溝１１０ａ，１１２ａに挿入され、ビス１４８でそれぞれ固定されている。これらの突条１３２ａ，１３３ａの幅は溝１１０ａ，１１２ａの幅よりも小さいので、ビス１４８を外せば、引戸１３８方向あるいはその逆方向に移動可能である。したがって、設置後の引戸１３８の反り等の変形が極めて大きくなって、磁着パッキン１３４の磁着面１３４ｂの傾きだけでは、図１１に示した不都合を解消できなくなった場合にも調整することができ、図８のごとくの密着状態に戻すことができる。
【００４６】
他の構成および効果は、前記実施の形態１，２と同じである。
［実施の形態４］
図９，１０に実施の形態４の防音引戸ユニット１５２の要部を示す。本実施の形態４は、実施の形態３と同じく、図１１に示す不都合を解消するものである。
【００４７】
実施の形態４は、戸当縦部材１８２，１８３に磁着パッキン１８４を取り付けている。しかし、実施の形態３とは異なり、磁着パッキン１８４の磁着面１８４ｂは傾いていない。
その代り、引戸１８８の当接面１８８ｃの内、戸当縦部材１８２，１８３の磁着パッキン１８４の磁着面１８４ｂが磁着する縁部１８８ｅ，１８８ｆは、戸口Ｅを閉じる場合に進行する側（戸口Ｅ側）に傾けられている。すなわち、磁着パッキン１８４に磁着される当接面１８８ｃが、磁着パッキン１８４に磁着されていない状態では、磁着パッキン１８４の磁着面１８４ｂの角度よりも磁着パッキン１８４側へ傾けられている。
【００４８】
このことにより、特に磁着パッキン１８４の引戸１８８が進行して来る側の角部１８４ａが、引戸１８８が移動して来た当初に引戸１８８の当接面１８８ｃから離れる配置とすることができる。したがって、防音引戸ユニット１５２の製造上の誤差や、設置後の引戸１８８の反り等の変形が生じても、図１１に示したごとくの不都合が防止され、図１０に示すごとく、引戸１８８の角部１８８ａや鉄板１８５の先端部１８５ａに磁着パッキン１８４が引っ掛かることが無く、正常に鉄板１８５に磁着して、十分に密着する。
【００４９】
更に、戸当縦部材１８２，１８３と縦枠１６０および方立１６２との関係は実施の形態３と同様であるので、実施の形態３と同様な効果を生じる。他の構成および効果は、前記実施の形態１，２と同じである。
［その他］
図１２に示すごとく、磁着パッキンを使用する場合、引戸２３８には鉄板２３５を、四辺に沿って、例えば両面粘着テープ（図１３の接着層２３９に該当）等にて取り付けるが、図１３にその断面を示すごとく、鉄板２３５の表面にテフロン、超高分子ポリエチレン、ポリアセタール、ポリプロピレン、アクリル、ナイロン等の摩擦が少なく耐久性のある潤滑層２３７を設けても良い。このように、特に、鉄板２３５の表面を覆うことにより、鉄板２３５の角部や表面で磁着パッキン等が傷ついたり摩耗したりすることが防止できる。更に、特に引戸２３８を開操作する際に、磁着力により最初に比較的大きな力が必要な場合が有るが、摩擦力が小さくされているので、開操作の初期にも比較的円滑に引戸２３８を移動させることができる。
【００５０】
前述した各実施の形態の引戸３８，８８，１３８，１８８，２３８は、表裏面が平行であったが、図１４に示すごとく、当接面２８８ａが、戸当り面２９０に平行であれば良いので、例えば、上から見て台形に形成した引戸２８８としても良い。すなわち、引戸２８８の戸口Ｅ側の面（当接面２８８ａと同一平面）が、開位置側から閉位置側にかけて次第に戸口Ｅとは反対側の面２８８ｂから離れる状態に形成されていることにより、当接面２８８ａの角度が実現されている。
【００５１】
また、引戸を台形に形成する代りに、図１５に示すごとく、ふかし枠３４０，３４２，３４４を設けた引戸３３８としても良い。すなわち、引戸本体３３８ａは、前記各実施の形態１〜４に例示した引戸と同様に、全体の厚みが一定の長方形平板状をなしている。ただし、吊車を取り付ける位置３４６ａ，３４６ｂとガイドシャフトを取り付ける位置とは、それぞれ引戸本体３３８ａの中心ライン上にあり、吊レールも床レールもそれぞれ１本である。
【００５２】
当接面３４０ａ，３４２ａ，３４４ａは、ふかし枠３４０，３４２，３４４の上面に存在する。ふかし枠３４０は、引戸本体３３８ａの上側の縁部に存在し、ふかし枠３４２は、引戸本体３３８ａの開位置側の縁部に存在し、ふかし枠３４４は引戸本体３３８ａの下側の縁部に存在する。すなわち、当接面３４０ａ，３４２ａ，３４４ａは引戸本体３３８ａの表面から突出している突条（ふかし枠３４０，３４２，３４４）の先端面として形成されている。引戸本体３３８ａの上下に存在するふかし枠３４０，３４４は、引戸本体３３８ａの開位置側の縁部に存在するふかし枠３４２に接している位置から閉位置側の縁部にいたるまでに、次第に突出量が小さくなり、最後にはほぼ突出量はゼロになっている。
【００５３】
このことにより、当接面３４０ａ，３４２ａ，３４４ａには前記角度が実現されている。なお、閉位置側の当接面３４８ａは引戸本体３３８ａの閉位置側縁部が兼ねている。この当接面３４８ａは角度を有していないが、パッキンにより吸収されるので問題ない。同様な理由で引戸本体３３８ａの開位置側の縁部に存在するふかし枠３４２の当接面３４２ａも角度が無くても良い。
【００５４】
図１５に示す引戸３３８の引戸本体３３８ａの厚さは図１４に比較して薄くすることができる。また、吊レールも床レールもそれぞれ１本で済み、更に、吊車を取り付ける位置３４６ａ，３４６ｂとガイドシャフトを取り付ける位置とは、それぞれ引戸本体３３８ａの中心ライン上にあるので、強固に取り付け易くなる。
【００５５】
またふかし枠を設ける代りに、図１６に示すごとく、上下の両端面３８８ａ，３８８ｂに当接面３９０，３９２を設けた引戸３８８としても良い。すなわち、引戸３８８の上下端面３８８ａ，３８８ｂに、戸口Ｅ側を低くされ、開位置側から閉位置側にかけて次第に引戸３８８の戸口Ｅとは反対側の面３８８ｄに近づく段差面を設け、この段差面を当接面３９０，３９２として利用する。このことにより当接面３９０，３９２には角度が実現されている。この図１６に示す引戸３８８は、吊レールも床レールもそれぞれ１本で済む。
【００５６】
なお、開位置側の当接面３９４は引戸３８８の開位置側の縁部が兼ね、閉位置側の当接面３９６は、引戸３８８の閉位置側の端面３８８ｃの一部が兼ねている。したがって、戸当り面は縦枠側であり、縦枠側にパッキンを設ける。ただし、閉位置側の戸当縦部材の位置を引戸３８８と反対側にずらすことにより、引戸３８８の閉位置側の縁部３９８を閉位置側の当接面としても良い。
【００５７】
また、図１７に示すごとく引戸４０２の閉位置側の端面３８８ｃにも、上下端面３８８ａ，３８８ｂの段差面を連絡する段差面を設けて、当接面４００としても良い。このようにすると、縦枠側にパッキンを設けたり、閉位置側の戸当縦部材の位置をずらしたりする必要が無い。
【００５８】
各実施の形態では、吊車とガイドシャフトとを利用したが、吊車の代りにガイドシャフトを用い、更にガイドシャフトの代りに戸車を用いても良い。また、吊車と戸車との両方を用いても良い。
【図面の簡単な説明】
【図１】  実施の形態１の防音引戸ユニットの室内側から見た正面図である。
【図２】  実施の形態１の防音引戸ユニットの背面図である。
【図３】  図１におけるＡ−Ａ断面の要部拡大図である。
【図４】  図１におけるＢ−Ｂ断面の要部拡大図である。
【図５】  実施の形態２の防音引戸ユニットの部分説明図である。
【図６】  実施の形態２の防音引戸ユニットの全体説明図である。
【図７】  実施の形態３の防音引戸ユニットの要部説明図である。
【図８】  実施の形態３の防音引戸ユニットの要部説明図である。
【図９】  実施の形態４の防音引戸ユニットの要部説明図である。
【図１０】  実施の形態４の防音引戸ユニットの要部説明図である。
【図１１】  磁着パッキンが引っ掛かった場合を示す説明図である。
【図１２】  鉄板の取付状態説明図である。
【図１３】  鉄板の取付状態説明断面図である。
【図１４】  台形の引戸の構成説明図である。
【図１５】  ふかし枠を使用した引戸の構成説明図である。
【図１６】  段差面を使用した引戸の構成説明図である。
【図１７】  段差面を使用した別の引戸の構成説明図である。
【符号の説明】
２…防音引戸ユニット      ４…上枠      ４ａ…溝      ６…下枠
８，１０…縦枠    １２，１４…方立    １２ａ，３２ａ…側面
１６…吊レール    １６ａ…割溝    １８…内側吊レールカバー
２２…敷板    ２４…溝部    ２５…床レール
２６，２８…戸当横部材
２６ａ，２８ａ，１２ａ，３２ａ…側面（戸当り面）
２６ｂ，２８ｂ，１２ｂ，３２ｂ…溝部    ３２…戸当縦部材
３４…パッキン    ３８…引戸    ３８ａ…上端面    ３８ｂ…下端面
３８ｃ…当接面    ４０，４１…吊車    ４０ａ…回転軸
４０ｂ，４０ｃ…車輪    ４２，４３…ガイドシャフト
５２…防音引戸ユニット    ５６…下枠    ６２…方立
６６，６７…レール    ７５，７６…床レール    ７８…戸当横部材
７８ａ，６２ａ，８２ａ…戸当り面    ８２…戸当縦部材    ８８…引戸
９０，９１…吊車    ９２，９３…ガイドシャフト
１０２…防音引戸ユニット  １１０…縦枠  １１０ａ，１１２ａ…溝
１１２…方立  １３２，１３３…戸当縦部材  １３２ａ，１３３ａ…突条
１３４…磁着パッキン  １３４ａ…角部  １３４ｂ…磁着面  １３５…鉄板
１３８…引戸  １３８ｃ…当接面  １４８…ビス
１５２…防音引戸ユニット  １６０…縦枠  １６２…方立
１８２，１８３…戸当縦部材  １８４…磁着パッキン  １８４ａ…角部
１８４ｂ…磁着面  １８５…鉄板  １８５ａ…先端部  １８８…引戸
１８８ａ…角部  １８８ｃ…当接面  １８８ｅ，１８８ｆ…縁部
２３５…鉄板  ２３７…潤滑層  ２３８…引戸  ２３９…接着層
２８８，３３８，３８８…引戸  ２８８ａ…当接面
２８８ｂ…引戸の当接面とは反対側の面
２９０…戸当り面  ３３８ａ…引戸本体
３４０，３４２，３４４…ふかし枠
３４０ａ，３４２ａ，３４４ａ…当接面
３４６ａ，３４６ｂ…吊車を取り付ける位置  ３４８ａ…閉位置側の当接面
３８８ａ，３８８ｂ…上下端面  ３８８ｃ…閉位置側の端面
３８８ｄ…戸口とは反対側の面  ３９０，３９２…当接面
３９４…開位置側の当接面  ３９６…閉位置側の当接面
３９８…閉位置側の縁部  ４００…当接面  ４０２…引戸  ５００…引戸
５００ａ…角部  ５０２…戸当り面  ５０４…磁着パッキン  ５０６…鉄板
５０６ａ…角部  ＤＨ…戸先  ＤＴ…戸尻  Ｅ…戸口  Ｆ…床
Ｍ…引戸の動線  Ｗ…壁部
【図１】
0003663257.tif 000002
【図２】
0003663257.tif 000003
【図３】
0003663257.tif 000004
【図４】
0003663257.tif 000005
【図５】
0003663257.tif 000006
【図６】
0003663257.tif 000007
【図７】
0003663257.tif 000008
【図８】
0003663257.tif 000009
【図９】
0003663257.tif 000010
【図１０】
0003663257.tif 000011
【図１１】
0003663257.tif 000012
【図１２】
0003663257.tif 000013
【図１３】
0003663257.tif 000014
【図１４】
0003663257.tif 000015
【図１５】
0003663257.tif 000016
【図１６】
0003663257.tif 000017
【図１７】
0003663257.tif 000018